(57)【特許請求の範囲】
【請求項１】
視野角が確保される適宜の位置に取り付けられて人体が発する赤外線を検知する人体検知部、および、人体検知部からの検知信号に基づいて近赤外線による制御信号を送信する近赤外線信号送信部を有する子機と、この子機と別体であり、商用電力を入力する電力入力部、子機からの近赤外線による制御信号を受信する近赤外線信号受信部、この近赤外線信号受信部からの信号に基づいて制御対象機器に対する電力供給状態と電力非供給状態を切り換えるスイッチ機構、および、このスイッチ機構を介して電力を出力する電力供給部を設けた親機とからなり、親機と子機を近赤外線通信によってコードレスで接続したことを特徴とする赤外線人体検知装置。
【請求項２】
適宜の位置に取り付けられて人体が発する赤外線を検知する人体検知部と、この人体検知部からの検知信号に基づいて近赤外線による制御信号を送信する近赤外線信号送信部とを有する人体検知装置であって、前記制御信号として家電製品の遠隔操作器が発する制御信号を記憶する記憶部を設け、近赤外線信号送信部が前記記憶部に記憶された制御信号を送信することにより家電製品を制御することを特徴とする赤外線人体検知装置。
【請求項３】
前記人体検知部および近赤外線信号送信部の電源が電池である請求項１または２に記載の赤外線人体検知装置。
【発明の詳細な説明】
【０００１】
【発明の属する技術分野】
本発明は、人体からの赤外線をとらえて人体を検知する赤外線人体検知装置に関する。
【０００２】
【従来技術】
従来より、赤外線人体検知装置として焦電型の赤外線検出器などを用いて人体を非接触で検知する装置は、例えば店頭に取り付けて客が来た時にチャイムや音楽を流す来客センサや、人が近づくと照明を照らす自動照明や、警報器を作動させる進入警報システムなどの自動制御システムに幅広く使用されている。つまり、幅広く使用されている赤外線人体検知装置のほとんどは、人体検知による制御対象の機器が決まっていた。
【０００３】
一方、特公平４−２９１１９号公報の発明のように商用電源で動作する赤外線センサによって人体を検知し、商用電源を出力するスイッチ機構を設けた赤外線人体検知装置も発明され実用化されるに至っている。この赤外線人体検知装置は商用電源を赤外線人体検知装置に入力し、赤外線人体検知装置内でスイッチ機構によってスイッチングされた電力を出力するようにすることにより、使用者の自由な発想で任意の装置を制御でき、多目的に使用できる利点があった。
【０００４】
【発明が解決しようとする課題】
ところが、上記赤外線人体検知装置は商用電源を入力し、これをスイッチイングして出力するその構造上、赤外線人体検知装置の設置場所が壁面のコンセントパネル近傍に限られるため、赤外線センサの視野を十分に確保し、最適な人体検知を全ての設置場所で得ることが難しかった。また、延長コードを使用して赤外線センサが最適な視野を確保できる位置に設置したとしても、延長コードを這わしたことにより美観を損ねる可能性があった。
【０００５】
本発明はこのような実情に鑑みてなされ、人体からの赤外線を検知する人体検知部を、特別な工事をすることなく人体検知に理想的な位置に設置できると共に、離れた位置にある電気器具を確実かつ安全に制御する見栄えのよい赤外線人体検知装置を提供することを目的としている。
【０００６】
【課題を解決するための手段】
本発明は上述の課題を解決するための手段を以下のように構成している。
すなわち、請求項１に記載の発明では、視野角が確保される適宜の位置に取り付けられて人体が発する赤外線を検知する人体検知部、および、人体検知部からの検知信号に基づいて近赤外線による制御信号を送信する近赤外線信号送信部を有する子機と、この子機と別体であり、商用電力を入力する電力入力部、子機からの近赤外線による制御信号を受信する近赤外線信号受信部、この近赤外線信号受信部からの信号に基づいて制御対象機器に対する電力供給状態と電力非供給状態を切り換えるスイッチ機構、および、このスイッチ機構を介して電力を出力する電力供給部を設けた親機とからなり、親機と子機を近赤外線通信によってコードレスで接続したことを特徴としている。
【０００７】
したがって、前記赤外線人体検知装置は、子機を人体検知に最適な位置に取り付けることにより人体検知部の視野角を確保でき、人体を確実に検知することができる。また、子機は人体を検知したことを近赤外線の制御信号によって親機に送信し、両機は近赤外線のパルス信号によってコードレスで接続されるので、電磁波を発信した場合のように医療機器、通信機、計算機および子機自身などの電気機器に電波障害などの悪影響を及ぼすことなく、安全に親機に対する制御を行うことができる。
【０００８】
さらに、近赤外線は極めて反射しやすい特性を持っているので、子機と親機との間に多少の障害物があっても制御信号を伝達できる。つまり、親機と子機の設置位置に自由度があり極めて扱いやすくなるだけでなく、親機を人目につかない位置に配置することにより見栄えが良くなる。
【０００９】
また、請求項２に記載の発明では、適宜の位置に取り付けられて人体が発する赤外線を検知する人体検知部と、この人体検知部からの検知信号に基づいて近赤外線による制御信号を送信する近赤外線信号送信部とを有する人体検知装置であって、前記制御信号として家電製品の遠隔操作器が発する制御信号を記憶する記憶部を設け、近赤外線信号送信部が前記記憶部に記憶された制御信号を送信することにより家電製品を制御することを特徴としている。
【００１０】
したがって、前記赤外線人体検知装置を人体検知に最適な位置に取り付けることにより人体検知部の視野角を確保でき、人体を確実に検知することができる。また、記憶部に記憶された遠隔操作器の制御信号を用いて家電製品を直接制御することができるので、別途の特別な受信機や制御信号の変換器などを必要とせず、構成を極めて簡素化でき見栄えがよくなるだけでなく、設置にかかる手間を可及的に抑えることができる。さらに、近赤外線は極めて反射しやすい特性を持っているので、赤外線人体検知装置と制御対象である家電製品との間に多少の障害物があっても制御信号を伝達できるので、赤外線人体検知装置の設置位置に自由度がある。
【００１１】
加えて、上記何れの赤外線人体検知装置の場合にも、前記人体検知部および近赤外線信号送信部の電源を電池にすることにより、赤外線人体検知装置の設置位置は電源の有無に関係なく任意に設定できるので有用である。さらに、装置をより小型にすることができ、かつ、設置にかかる手間を最小限に抑えることができる。
【００１２】
【発明の実施の形態】
図１，２は本発明の第１実施例を示している。これらの図において、１は人体Ｈが放射する波長約１０μｍの赤外線ｈνを検知し電気器具に供給する電源を制御する赤外線人体検知装置であり、この例では子機１ａと親機１ｂとからなっている。
【００１３】
子機１ａは人体Ｈが発する赤外線ｈνをフレネルレンズ２ａを介して入射してこれを検知するパイロセンサ２と、このパイロセンサ２からの出力信号を増幅する増幅器３と、増幅された出力信号を用いて人体検知パルスを出力するパルス整形回路４とからなる人体検知部５を有している。また、子機１ａは前記人体検知部５からの人体検知パルスを受けて、親機１ｂに送信する制御信号を生成するパルス生成器６と、前記制御信号を増幅する増幅器７と、増幅された制御信号を波長約０．７〜１μｍの近赤外線ｈν’にして放射する近赤外線の発光ダイオードＬとからなる近赤外線信号送信部８を有すると共に、前記各部に安定した直流の電力を供給する電圧安定化回路９と、この電圧安定化回路９に電力を供給する電池（例えば００６Ｐ）Ｂとを有している。
【００１４】
親機１ｂは前記近赤外線信号送信部８から送信される近赤外線ｈν’の制御信号を受信する近赤外線受光素子１０、および、制御信号の受信回路１１からなる近赤外線信号受信部１２と、前記制御信号の受信に伴って一定期間のパルスを発生するタイマ回路１３、および、前記パルスによって制御されるリレー１４からなるスイッチ機構１５と、例えば壁面のコンセントパネルに差し込むことができる電源プラグ（電力入力部）１６と、前記リレー１４によって断続切り換えされる電力を電気機器に供給する出力コンセント（電力供給部）１７と、前記電源入力部１６から入力された電力を直流に変換して各部に供給する直流電源回路１８とからなっている。
【００１５】
前記タイマ回路１３は例えばワンショットマルチバイブレータであり、出力されるパルスの幅は例えば、図１に図示しているようなツマミ１３ａによって数秒〜数十分に設定できるようにしている。なお、このタイマ回路１３の設定時間は押しボタンなどの他の方法で設定できるようにしてもよく、固定しておいてもよい。さらには、タイマ回路１３を省略するなど適宜に仕様を変更することができる。
【００１６】
上記構成の赤外線人体検知装置１は、電源の供給状態と非供給状態を切り換えることによって制御できる任意の電気製品の制御に用いることができる。本例では、一例として図２に示すように、電気スタンド１９を制御している。すなわち、親機１ｂの出力コンセント１７に電気スタンド１９の電源プラグ１９ａを差し込んで、親機の電源プラグ１６を壁面のコンセントパネルに差し込み、子機１ａに電池を入れて、子機１ａを人体Ｈの検出に適した適宜の位置に配置すればよい。子機１ａは電池Ｂによって駆動されてると共に、背面には例えば図外の磁石を付けており、子機１ａを任意の位置に配置できるようにしている。なお、子機１ａの電源は商用電源や、太陽電池であってもよい。
【００１７】
このとき、人が部屋に入ると、人体Ｈは赤外線ｈνを放射しており、この赤外線ｈνは子機１ａのパイロセンサ２に入力される。人体Ｈを検知した子機１ａは近赤外線ｈν’による親機１ｂに対する制御信号を放射し、この近赤外線ｈν’は直接または壁面や天井面などに反射して親機１ｂに入射する。そして、前記近赤外線ｈν’による制御信号を受信した親機１ｂは、例えば、人Ｈが部屋に入ったときから部屋を離れて１分間の間、電気スタンド１９を点灯しつづける。
【００１８】
つまり、本発明の赤外線人体検知装置１の子機１ａを適宜の場所に載置し、親機１ｂを電気スタンド１９の電源に介在させるだけで、使用者はスイッチなど一切操作することなく、部屋に入るだけで電気スタンド１９を自動点灯させ自動消灯させることができて便利なだけでなく、消し忘れなどの心配もなくなる。また、防犯にも役立てることができる。なお、この電気スタンド１９が消えるまでの時間は前記ツマミ１３ａによって自由に設定可能である。
【００１９】
また、上記構成の赤外線人体検知装置１は子機１ａと親機１ｂを離して配置することができるので、人体検知部５を有する子機１ａを人体Ｈの検知に最適な位置に配置すると共に、親機１ｂを目立たない場所に設置できる。さらに、死角の多く場所や部屋が広く、人体Ｈからの赤外線ｈνが十分に検知できない場合は子機１ａを複数台設置すれば検知はより確実となる。したがって、人体Ｈを確実に検知できると共に、見栄えを悪くしかねない配線を無くすことができる。
【００２０】
加えて、子機１ａと親機１ｂとの通信手段は、医療機器などの電気機器に電波障害を起こしかねない電磁波を一切用いないので、安全であると共に、近赤外線は極めて反射率が良い物性を有しているので、親機１ｂと子機１ａとの間の障害物を強く意識する必要がなく、両者１ａ，１ｂの配置に自由度が高い。
【００２１】
また、親機１ｂの設置にも、子機１ａの設置にも特別な工事など一切不要であると共に、使用者の多彩な発想に応じて制御対象となる電気器具を任意に変えることができる。なお、上述の例では、電力入力部が電源コードを介して親機１ａの本体に接続される電源プラグ１６を有し、電力供給部１７として親機１ｂに出力コンセントを設けた例を示しているが、本発明はこれに限られるものではなく、例えば電力入力部１６が親機１ｂ本体から突出した電極からなる電源プラグであってもよい。同様に、電力供給部１７が電源コードを介して親機１ｂ本体から突出するコンセントタップであってもよく、また、このコンセントタップに親機１ｂのパイロセンサ１０やその受信回路１１を設けるようにしてもよい。
【００２２】
図３，４は本発明の第２実施例を示している。これらの図において、図１，２と同一の符号が付された部材は第１実施例と同一または同等の部材であるので、その詳細な説明を省略する。なお、この第２実施例においても第１実施例と同様の変形を行えることはいうまでもない。
【００２３】
図３における赤外線人体検知装置１’は第１実施例の子機１ａとほゞ同一の構成であり、パイロセンサ２、増幅器３、パルス整形回路４を有する人体検知部５と、パルス生成器６、増幅器７、発光ダイオードＬ、および、制御信号の記憶部２０を有する近赤外線信号送信部８と、電圧安定化回路９と、電池Ｂとからなっている。２１は展示場などに配設されたテレビ付きのビデオデッキであり、２点鎖線で示した遠隔操作器（以下、リモコンという）２１ａからの制御信号を受信する受信部２１ｂを有している。
【００２４】
また、前記記憶部２０は主要メーカーのビデオデッキのリモコン２１ａから発信される近赤外線ｈν’の制御信号を予め記憶しており、この記憶部２０に記憶された信号を用いてパルス生成器６が制御信号を生成する。例えば、人体検知部５が人体Ｈを検知したときにパルス生成器６がビデオデッキの再生命令に相当する制御信号を出力し、人体検知信号５が一定時間人体Ｈを検知しなくなったときに、ビデオデッキの停止命令および巻き戻し命令に相当する制御信号を出力するように構成されている。また、記憶部２０には入力器２０ａが設けられており、この入力器２０ａによってビデオデッキの種類を入力することにより、各種ビデオデッキを選択的に制御できるように構成されている。
【００２５】
したがって、本例の赤外線人体検知装置１’を、例えば図４に示すような展示会場や博物館などに利用する場合には、リモコン操作ができるビデオデッキ２１に展示内容を収録したビデオテープをセットして展示会場の適宜の位置に配置し、これらの電源を入状態にする。そして、赤外線人体検知装置１’の入力器２０ａを介して展示場に使用するビデオデッキ２１を選択し、この赤外線人体検知装置１’を来場者Ｈの検知に最適な位置に配置すればよい。
【００２６】
上記状態において、赤外線人体検知装置１’が来訪者Ｈを検知したときは、パルス生成器６は記憶部２０に記憶されたリモコン２１ａと同じ再生用の制御信号を出力し、近赤外線発光ダイオードＬは、リモコン２１ａの再生ボタンを押したときと同じ近赤外線ｈν’の制御信号を送信する。したがって、人Ｈが来場すると自動的にビデオデッキ２１が展示内容を再生し始める。
【００２７】
次に、赤外線人体検知装置１’が来場者Ｈを検知しなくなると、パルス生成器６はビデオデッキを停止させる制御信号と、テープを巻き戻しさせる制御信号を続けて生成し、これを発光ダイオードＬが近赤外線ｈν’の制御信号として送信する。したがって、ビデオテープは自動的に展示内容の最初の位置まで巻き戻されて次の来訪者Ｈに備えることができる。つまり、展示会場や博物館にビデオデッキ２１と本発明の赤外線人体検知装置１’を配置するだけで、自動的に来訪者Ｈを検知し即時に展覧動作を開始することができる。
【００２８】
なお、本例の赤外線人体検知装置１’では、記憶部２０が予め主要メーカーのビデオデッキ２１に用いられるリモコン２１ａの制御信号を記憶している例を示しているが、たとえば赤外線人体検知装置１’にリモコン２１ａの制御信号を検知する近赤外線ｈν’の受光素子２０ｂと、受信した制御信号を増幅してこの信号を記憶部２０に書き込む信号処理部２０ｃとを設けてもよい。
【００２９】
この場合、発光ダイオードＬから発信する制御信号をプログラムすることができるので、記憶部２０に予め多くの制御信号を記憶させておく必要がないだけでなく、ビデオの種類を入力するための入力器２０ａの必要もない。さらに赤外線人体検知装置１’の汎用性を向上できる。つまり、本例の赤外線人体検知装置１’をリモコン操作できる照明の制御に用いたり、冷暖房器具の制御などに用いることができる。また、近赤外線のリモコンで人為的に操作できる電源スイッチが市販されているが、この電源スイッチ用のリモコンの制御信号を前記記憶部２０に記憶させることにより、電源スイッチに対する制御を本例の赤外線人体検知装置１’で行なうことができる。つまり、人為的にリモコン操作をすることなく、自動的に電源スイッチを制御することが可能となる。
【００３０】
また、前記パルス生成器６にタイマ回路を加えるなどの変更を行ってもよい。つまり、例えばビデオデッキ２１の巻き戻しの制御信号を送信したあと、テープを巻き戻すのに必要な時間をカウントするタイマーを付加して巻き戻し作業中に再生の制御信号を送信しないようにするなど任意に変更可能である。
【００３１】
何れにしても、本例の赤外線人体検知装置１’は、リモコン２１ａと同じ近赤外線ｈν’の制御信号を発信することにより、電気器具２１を直接的に制御することができるので、別途に近赤外線ｈν’を受光する装置を設ける必要がない。つまり、構成を可及的に簡素化することができる。また、本例の赤外線人体検知装置１’は、電源による制御を行うと電気器具に悪影響を及ぼすような精密な電気器具であっても、リモコン操作が可能な電気器具であれば制御できる。
【００３２】
なお、本例においても図１，２に示した例と同じく、制御信号の伝送方法として近赤外線ｈν’を用いることによる安全性や確実性などの効果があることは言うまでもない。また、赤外線人体検知装置１’の電源を電池Ｂ以外の商用電源や太陽電池などからとるようにしてもよい。
【００３３】
加えて、上記の例では一つの親機１ｂに対して一つの子機１ａを設けた例と、一つの電気器具２１を制御する一つの赤外線人体検知装置１’を設けた例を示しているが、本発明はこれに限られるものではない。たとえば、死角の多い場所や部屋が広く、人体Ｈからの赤外線ｈνが十分に検知できない場合は一つの親機１ｂに対して複数の子機１ａを設けるようにしてもよい。また、一つの電気器具２１（家電製品）に対して複数の赤外線人体検知装置１’を設置するようにしてもよい。これらのようにすることにより、人体Ｈをより確実に検知でき制御の信頼性を増すことができる。
【００３４】
【発明の効果】
以上説明したように、本発明の赤外線人体検知装置によれば、人体検知部が人体検知に最適な位置となるように設置することにより人体検知部の視野角を確保でき、人体を確実に検知することができる。また、近赤外線信号送信部が送信する近赤外線は反射しやすい特性を持っているので、障害物があっても制御信号を伝達できるだけでなく、電磁波を用いないので医療機器などに電波障害を起こすことなく安全である。さらに、人体検知部の設置位置に自由度があり極めて扱いやすくなるだけでなく、これを人目につかない位置に配置することにより見栄えが良くなる。
【００３５】
また、赤外線人体検知装置を人体検知部を有する子機と近赤外線通信によって子機に接続される親機に分けて、親機に制御対象機器に対する電力供給状態と電力非供給状態を切り換えるスイッチ機構を設けた場合には、親機を人目につかない位置に配置しても両機は近赤外線通信によりコードレスで接続できるので見栄えが良くなる。また、子機が人体を検知したときに、親機が制御対象機器に対する電力供給を制御することによって使用者の自由な発想による任意の機器を自在に制御することが可能となる。
【００３６】
一方、赤外線人体検知装置に近赤外線信号送信部が発信する前記制御信号として家電製品の遠隔操作器が発する制御信号を記憶する記憶部を設け、近赤外線信号送信部が前記制御信号を送信することにより家電製品を制御する場合には、赤外線人体検知装置が家電製品を直接制御することができるので、別途の特別な受信機や制御信号の変換器などを必要とせず、構成を極めて簡素化できるだけでなく、設置にかかる手間を可及的に抑えると共に見栄えが良くなる。
【００３７】
さらに、前記人体検知部および近赤外線信号送信部の電源を電池にした場合には、赤外線人体検知装置の設置位置の自由度をさらに増すことができるだけでなく、装置をより小型にすることができ、かつ、設置にかかる手間を最小限に抑えることができる。
【図面の簡単な説明】
【図１】本発明の赤外線人体検知装置の一例を示すブロック図である。
【図２】同赤外線人体検知装置の設置状態を示す図である。
【図３】本発明の赤外線人体検知装置の別の例を示すブロック図である。
【図４】同赤外線人体検知装置の設置状態を示す図である。
【符号の説明】
１，１’…赤外線人体検知装置、１ａ…子機、１ｂ…親機、５…人体検知部、８…近赤外線信号送信部、１５…スイッチ機構、１６…電力入力部、１７…電力供給部、２０…記憶部、Ｂ…電池、ｈν…赤外線、ｈν’…近赤外線。
【図１】
0003545913.tif 000002
【図２】
0003545913.tif 000003
【図３】
0003545913.tif 000004
【図４】
0003545913.tif 000005